(57)【要約】【課題】電子メール変換転送要求機能を備えたファクシミリ装置において、メール変換サーバとの間で、電子メール変換転送要求を行なった画像データに、ページ間エラーを生じた場合に、送信すべき画像データを最初のページから再送信を行なう全ページ再送か、エラーを生じたページから再送信を行なう継続再送かを選択可能にする。【解決手段】画像データを電子メールの添付ファイルに変換した形式で指定先に転送させるために、画像データを所定のリクエスト形式でメール変換サーバに対して送信する機能を備えたファクシミリ通信装置において、電子メール変換転送要求を行なった画像データを、上記メール変換サーバに送信する途中でページ間エラーを生じ、そのために、画像データを再送信する際には、送信すべき画像データを最初のページから再送信を行なう全ページ再送信か、エラーを生じたページから再送信を行なう継続再送信かを選択して、画像データの電子メール変換転送要求ジョブを実行する制御手段を備える。【選択図】図１
2004023602.tif 000002
【特許請求の範囲】
【請求項１】
画像データを電子メールの添付ファイルに変換した形式で指定先に送信するために、画像データを所定のリクエスト形式でメール変換サーバに対して要求する機能を備えたファクシミリ通信装置において、
電子メール変換転送要求を行なった画像データを、上記メール変換サーバに送信する途中でページ間エラーを生じ、そのために、画像データを再送信する際には、送信すべき画像データを最初のページから再送信を行なう全ページ再送信か、エラーを生じたページから再送信を行なう継続再送信かを選択して、画像データの電子メール変換転送要求ジョブを実行する制御手段を備えたファクシミリ通信装置。
【請求項２】
請求項１において、
上記制御手段は、電子メール変換転送要求を行なった画像データの上記メール変換サーバへの送信途中でページ間エラーを生じた後に、上記再送信を実行する時間間隔を、予め設定可能にする再送時間間隔設定手段を更に備えているファクシミリ通信装置。
【請求項３】
請求項１又は２の何れかにおいて、
上記制御手段は、ページ間エラーを生じたときには、その時点で全ページ再送信か、継続再送信かの選択を指示するモード選択表示を表示部に表示し、かつ、そのモード選択表示に従って選択実行された再送信を実行させるようにしたファクシミリ通信装置。
【発明の詳細な説明】
【０００１】
【発明の属する技術分野】
本発明は、画像データを所定のリクエスト形式で、通信ネットワーク上に設置したメール変換サーバに対して送信し、上記画像データを指定先に転送要求する機能を備えたファクシミリ通信装置の改良に関する。
【０００２】
【従来の技術】
従来より、画像データを所定のリクエスト形式で、インターネットに接続されたメール変換サーバに対して送信する機能（以下、この機能を「電子メール変換転送要求」と呼ぶ。）を備えたファクシミリ装置は公知である。
【０００３】
ここで、所定のリクエスト形式は、画像データをメール変換サーバにファクシミリ送信する場合（スキャナで読取った画像データを送信元となって自己発信、あるいは他のファクシミリを発信元として中継転送する場合を含む）、画像データの送信に先駆けてメール変換サーバとの間で送受されるファクシミリ通信手順信号に、転送先と電子メール変換リクエストコマンドを組み込むことでなされ、具体的には、ＮＳＳにコマンドと転送先アドレスを加えている。
【０００４】
このようにして、画像データの添付された電子メールを、インターネットに接続されたメール変換サーバに所定方式で転送先を指定したコマンドで要求し、上記画像データを電子メールの添付ファイルとして指定先に送信するのである。
【０００５】
【発明が解決しようとする課題】
しかしながら、このような電子メール変換転送要求を行なった画像データを、上記メール変換サーバに送信する途中でページ間エラーを生じた場合、従来のものでは、上記メール変換サーバに対して１通信の画像データの送信が完了するまで再送信が繰り返し行われる。
【０００６】
そのため、受信側には、同じ内容のメールが繰り返し受信されてしまい、電子メールの受信負荷が増し、大変不便であるという問題があった。
【０００７】
本発明は、上記事情を考慮してなされたものであり、メール変換サーバに送信する途中でページ間エラーを生じた場合に、送信すべき画像データを最初のページから再送信を行なう全ページ再送か、エラーを生じたページから再送信を行なう継続再送かを選択可能なファクシミリ通信装置を提供することを目的としている。
【０００８】
【課題を解決するための手段】
したがって、本発明は、上記目的を達成するために、請求項１に記載のファクシミリ通信装置では、電子メール変換転送要求を行なった画像データを、上記メール変換サーバに送信する途中でページ間エラーを生じ、そのために、画像データを再送信する際には、送信すべき画像データを最初のページから再送信を行なう全ページ再送信か、エラーを生じたページから再送信を行なう継続再送信かを選択して、画像データの電子メール変換転送要求ジョブを実行する制御手段を備えている。
【０００９】
このような機能があれば、上記ページ間エラーによる再送信の繰り返しが不要であれば、継続再送を選択することによって、受信側の受信の負荷を軽減できる。
【００１０】
一方、上記ページ間エラーによる再送信の繰り返しが必要であれば、全ページ再送を選択することによって、重要な画像データ等を１頁目から確実に再送信できる。
【００１１】
請求項２に記載のファクシミリ通信装置では、請求項１において、上記制御手段は、電子メール変換転送要求を行なった画像データの上記メール変換サーバへの送信途中でページ間エラーを生じた後に、上記再送信を実行する時間間隔を、予め設定可能にする再送時間間隔設定手段を更に備えているため、再送信される時間間隔を任意に設定することができる。
【００１２】
請求項３に記載のファクシミリ通信装置では、請求項１又は２の何れかにおいて、上記制御手段は、ページ間エラーを生じたときには、その時点で全ページ再送信か、継続再送信かの選択を指示するモード選択表示を表示部に表示し、かつ、そのモード選択表示に従って選択実行された再送信を実行させるようにしている。そのため、ページ間エラーを生じたときには、表示部のモード選択表示を見ながら全ページ再送信か、継続再送信かの選択を確実に行うことができる。
【００１３】
【発明の実施の形態】
以下に、本発明の実施の形態について、図面とともに説明する。
【００１４】
図１は、本発明のファクシミリ通信装置の要部構成の一例を示すブロック図である。
【００１５】
ここでは、ファクシミリ通信装置Ｆの構成を示しているが、本発明はこれには限定されず、電話機、パソコンなどであってもよい。
【００１６】
図において、１は制御手段を構成し、以下の各部を制御するとともに、後述する制御手段の機能を有した主制御部、２はメール変換サーバに送信する通信回線Ｌの接続制御をするＮＣＵ、３はファクシミリ送信をするために信号の変復調をするモデム、４は画像データを一時記憶する画像メモリ、５は各種データを記憶するＲＡＭ、６は制御プログラムなどを予め記憶したＲＯＭ、７は液晶画面やＬＥＤなどで構成される表示部、８は各種操作キーなどで構成される操作部であり、この操作部８には、ページ間エラーを生じた際、全ページ再送を指示する全頁再送キー８１及び上記継続再送を指示するエラー頁再送キー８２を設けている。
【００１７】
９はＣＤ−ＲＯＭ、フロッピーディスク、或いはスキャナから画像データを読み取る読取部、１０はファクシミリ受信した画像や、読取部９から読み取った画像を、予めセットされた記録紙に記録する記録部である。
【００１８】
制御手段１は、電子メール変換転送要求を行なった画像データを、上記メール変換サーバに送信する途中でページ間エラーを生じ、そのために、画像データを再送信する際には、送信すべき画像データを最初のページから再送信を行なう全ページ再送信か、エラーを生じたページから再送信を行なう継続再送信かを選択して、画像データの電子メール変換転送要求ジョブを実行するようにしている。
【００１９】
また、上記ページ間エラーを生じたときには、その時点で全ページ再送信か、継続再送信かの選択を指示するモード選択表示を表示部７に表示し、かつ、そのモード選択表示に従って選択実行された再送信を実行させるようにすれば、表示部７のモード選択表示を見ながら全ページ再送信か、継続再送信かの選択を確実に行うことができる。
【００２０】
なお、１１は、上記メール変換サーバへの送信途中でページ間エラーを生じた後に、上記再送信を実行する時間間隔を、予め設定可能にする再送時間間隔設定手段である。
【００２１】
このような再送時間間隔設定手段１１は、上記ページ間エラーを生じたときに、全ページ再送信又は継続再送信の何れかの再送信が実行されるまでの間の時間間隔を任意に設定でき、例えば、この再送時間間隔の設定画面を表示部７に表示させて、ユーザ側で設定できるようにしてもよく、或いは、任意の時点で設定モードを呼出してユーザ側で設定できるようにしてもよい。
【００２２】
図２は、このような構成のファクシミリ通信装置の基本動作をフローチャートをもって示している。
【００２３】
先ず、従来同様、画像データが添付された電子メールの電子メール変換転送要求を開始する（Ｓ１）。
【００２４】
この電子メール変換転送要求が行なわれた画像データが、上記メール変換サーバに送信する途中でページ間エラーを生じた場合、例えば、図３で示すように、表示部７には、ページ間エラーが生じた旨を表示すると共に、エラーの生じた頁数を表示する（Ｓ２）。
【００２５】
このとき、再送時間間隔設定手段１１を備えている場合には、タイマーが起動され、設定された再送信が実行されるまでの間の時間間隔を表示部７に表示する（Ｓ３）。
【００２６】
なお、この再送時間間隔は、ユーザ側で任意に設定できるので、任意の時点で再送時間間隔を減算し、再送時間を早めることもできる（Ｓ４）。
【００２７】
そして、所定時間（ここでは、再送時間間隔）が経過されると、例えば、図３で示すように、表示部７には、送信すべき画像データを最初のページから再送信を行なう全ページ再送信か、エラーを生じたページから再送信を行なう継続再送信の何れを選択するかのモード選択表示が表示される（Ｓ５）。
【００２８】
このとき、例えば、受信側がエラーを生じたページから再送信を行なう継続再送信を望む場合には、エラー頁再送キー８２を押して、これを選択すれば、既に送信された頁（本実施例では１〜４頁）は再送信されずに、エラー頁（本実施例では５頁）以降だけが再送信され、送受信を完了する（Ｓ６、Ｓ８）。
【００２９】
一方、受信側が送信すべき画像データを最初のページから再送信を行なう全ページ再送信を望む場合には、全頁再送キー８１を押して、これを選択すれば、既に送信された頁（本実施例では１〜４頁）を重複して再送信され、送受信を完了する（Ｓ７、Ｓ８）。
【００３０】
【発明の効果】
以上の説明からも理解できるように、
本発明の請求項１に記載のファクシミリ通信装置によれば、ページ間エラーを生じた際には、全ページ再送信か、継続再送信かを選択して、画像データの電子メール変換転送要求ジョブを実行する制御手段を備えているため、上記ページ間エラーによる再送信の繰り返しが不要であれば、継続再送を選択することによって、受信側の受信の負荷を軽減できる。
【００３１】
一方、上記ページ間エラーによる再送信の繰り返しが必要であれば、全ページ再送を選択することによって、重要な画像データ等を１頁目から確実に再送信できる。
【００３２】
本発明の請求項２に記載のファクシミリ通信装置によれば、再送時間間隔設定手段を更に備えているので、再送信される時間間隔を任意に設定することができる。
【００３３】
本発明の請求項３に記載のファクシミリ通信装置によれば、ページ間エラーを生じたときには、表示部のモード選択表示を見ながら全ページ再送信か、継続再送信かの選択を確実に行うことができる。
【図面の簡単な説明】
【図１】本発明のファクシミリ通信装置の要部構成の一例を示すブロック図
【図２】本発明のファクシミリ通信装置の基本動作を示すフローチャート
【図３】表示部の表示例を示すモード選択の表示図
【符号の説明】
Ｆ・・・ファクシミリ通信装置
Ｌ・・・通信回線
１・・・主制御部（制御手段）
１１・・・再送時間間隔設定手段
７・・・表示部
【図１】
2004023602.tif 000003
【図２】
2004023602.tif 000004
【図３】
2004023602.tif 000005